(57)【要約】【課題】台の上に載せられた点数棒を、台の上から点数棒箱にそのまま移動することにより、利便性と不正防止を実現するゲーム用テーブルを提供すること。【解決手段】マット１２０及びマット１２０の周囲を囲う枠１１０を備える天板１００に対して、点数棒、カード、チップの収容箱である点数棒箱１３０は、天板１００に連結される。天板１００の枠１１０はマット１２０に対して高さを形成する厚みを有し、天板１００の四辺それぞれに枠１１０の内側から開口部１３５が形成される。この開口部１３５は、天板１００のマット１２０面上側から収容箱（点数棒箱１３０）まで貫通する。【選択図】図４
2020025629.tif 000002
【特許請求の範囲】
【請求項１】
マット及び当該マットの周囲を囲う枠を備える天板と、
前記天板に連結される点数棒の収容箱を備え、
前記天板の枠は前記マットに対して高さを形成する厚みを有し、
前記天板の四辺それぞれに前記枠の内側から開口部が形成され、
前記開口部は、前記天板の前記マット面上側から前記収容箱まで貫通する、
ゲーム用テーブル。
【請求項２】
前記収容箱と前記天板を連結する連結部をさらに備え、
前記開口部は、前記連結部の穴として形成されることにより、前記天板から前記収容箱まで貫通する、請求項１に記載のゲーム用テーブル。
【請求項３】
前記天板は正方形又は長方形状に形成され、
前記開口部は、前記天板の各辺に沿ってそれぞれ形成される、
請求項１又は２に記載のゲーム用テーブル。
【請求項４】
前記開口部の前記天板の枠の厚み方向の幅は、麻雀の点数棒の太さよりも高く、麻雀牌の最短辺よりも低い、
請求項１〜３のいずれかに記載のゲーム用テーブル。
【発明の詳細な説明】
【技術分野】
【０００１】
本発明は、天板のマット上でゲームをするためのゲーム用テーブルに関する。
【背景技術】
【０００２】
テーブルゲームには様々な種類があるが、カードや駒を動かすだけでなく、麻雀に代表されるように点数を計数することにより勝敗を決めるものも多い。そのために、点数棒のような点数を計数する道具が用いられ、点数棒を収容するトレイが備えられたゲーム用テーブルも多く見られる。例えば特許文献１に記載のように、麻雀卓においては、点数棒箱が備えられ、開閉可能なトレイが各プレイヤー用に備えられているものも多い。
【先行技術文献】
【特許文献】
【０００３】
【特許文献１】特開２００３−９３７３２号公報
【発明の概要】
【発明が解決しようとする課題】
【０００４】
テーブルゲームの中で麻雀を例に挙げて説明すると、麻雀の一局などステージ終了段階で、点数棒を支払い、受け取ることになる。支払時には点数棒を台の上に載せて支払い、勝った側は台の上から受け取る。このときに手でつかんで点数棒箱に収納しなければならず、若干不便という面があった。また、点数棒を台の上から点数棒箱へ移動する際に、視界から遮られた位置を経由するので、不正の余地が生じてしまうという問題があった。本発明は、台の上に載せられた点数棒を、台の上から点数棒箱にそのまま移動することにより、利便性と不正防止を実現するゲーム用テーブルを提供することを目的とする。
【課題を解決するための手段】
【０００５】
本発明に係るゲーム用テーブルは、マット及び当該マットの周囲を囲う枠を備える天板と、前記天板に連結される点数棒の収容箱を備え、前記天板の枠は前記マットに対して高さを形成する厚みを有し、前記天板の四辺それぞれに前記枠の内側から開口部が形成され、前記開口部は、前記天板の前記マット面上側から前記収容箱まで貫通する。
【発明の効果】
【０００６】
本発明によれば、開口部を通して、マット上に載せたゲーム用具、例えば点数棒や点数を示す駒などを、マットからそのまま収容箱に収容することができるので、収容箱への収容の利便性を向上し、収容箱への収容の過程での不正防止効果をさらに向上することができる。
【図面の簡単な説明】
【０００７】
【図１】本実施の形態に係るゲーム用テーブルの側面図である。
【図２】本実施の形態に係るゲーム用テーブルの側面からの断面図である。
【図３】本実施の形態に係るゲーム用テーブルの全自動動作を示す側面からの断面図である。
【図４】本実施の形態に係るゲーム用テーブルの第１の斜視図である。
【図５】本実施の形態に係るゲーム用テーブルの第２の斜視図である。
【図６】本実施の形態に係るゲーム用テーブルの第３の斜視図である。
【図７】本実施の形態に係る連結部の図である。
【発明を実施するための形態】
【０００８】
本実施の形態に係るゲーム用テーブルは、麻雀卓を例に挙げて説明するが、必ずしも麻雀卓に限るものではなく、カードゲームやボードゲーム用に用いるテーブルとしても良い。本実施の形態に係るゲーム用テーブルは、テーブルの上で行い、点数を管理する棒や駒、チップなどを使用するゲームのためのテーブルである。
【０００９】
麻雀卓は卓の形状により座卓タイプと立卓タイプに分かれる。家庭や旅館などの座敷用には座卓タイプを、椅子に腰をかけながら麻雀を行う時には立卓タイプを使用する。支柱部分が取り外し可能になっており、使用環境に応じて立卓か座卓かを選択し組み立て直すことができる製品もある。
【００１０】
図１は、本実施の形態に係るゲーム用テーブルの側面図である。麻雀卓は、構成各部を収容する立方体状の筐体であり、その天板１００は最大４人のプレーヤにより麻雀をプレイするための複数の牌が並べられる卓板として利用される。天板１００には枠１１０が取り付けられている。枠１１０は、天板１００に組み合わせて用いられる枠１１０であって、枠１１０の内側にマット１２０が入る大きさの空間が形成される。天板１００の下部には枠１１０を支持するための金具が取り付けられており、枠１１０はこの金具上に載置される。麻雀卓本体１００に脚部３００が取り付けられている。
【００１１】
本実施の形態に係るゲーム用テーブルの一例としての麻雀卓または雀卓は、一例として６０−７０ｃｍ四方の正方形の天板１００を有するテーブルである。天板１００は通常は正方形又は長方形状に形成される。一般に天板１００は、麻雀牌が卓よりこぼれないように卓の周りに枠１１０を設けており、麻雀牌の音を吸収するとともに麻雀牌が痛まないように緑系統、青系統あるいは灰系統の色を用いたフェルト製のマット１２０が張られている。つまり、フェルト等を貼着された正方形のマット１２０とマット１２０の周囲を囲む枠１１０から構成された天板１００を備える。
【００１２】
図２は、本実施の形態に係るゲーム用テーブルの側面からの断面図である。枠１１０の外周部には点数棒を収容する点数棒箱（点棒箱）１３０、が取り付けられている。点数棒箱１３０は点数棒を収容する収容箱の一形態である。点数棒箱１３０は四周それぞれの枠１１０の側面中央に配設され、それぞれ枠１１０の内部の空洞として構成される。大きさは、点数棒箱１３０は通常全員分の点数棒（点棒）が入るサイズに作られるが、原点１人分の点数棒（点棒）が入るサイズのものもある。
【００１３】
本実施の形態では、点数棒箱１３０は引き出しではなく卓の枠１１０部分に固定され、全員に中身が見えるように構成されたものを示す。点数棒箱１３０は、図２の例によると、枠１１０の上方が開かれ、この開かれた部分から点数棒を置くとともに取り出す。マット１２０及びマット１２０の周囲を囲う枠１１０を備える天板１００に対して、点数棒の収容箱である点数棒箱１３０は、天板１００に連結された構成となっている。
【００１４】
点数棒箱１３０は点数棒を収納する引き出し内に収容してもよい。引き出し構造とする場合、点数棒箱１３０は、麻雀卓の側枠部の四周の四つの壁面のそれぞれに、開閉自在の引出状に絶縁材で装設される。引き出しを開いた中に、その点数棒箱１３０内に点数棒を横倒しの姿勢で投入される。点数棒箱１３０は、枠１１０の四つの各壁面に開閉自在に設けられ、側枠部に設けた凹所の外面側の開放口に、その開放口を蓋する蓋板を、蝶番により外側に開放回動するように軸支し、その蓋板の内面側に、上面側が開放するチャンネル状に形成した点数棒収容部を装設することで構成される。
【００１５】
蓋板を側枠部側に押し込むことにより点数棒収容部が凹所内に嵌入して蓋板により閉鎖される閉鎖状態となり、蓋板を外側に引き出すことにより点数棒収容部が外方に露出して開放する開放状態となるようにしてある。
【００１６】
点数棒箱１３０として、このように上方を開口形状にしたものと引き出し形状にしたものが考えられるが、本実施の形態では、いずれの場合であっても、枠１１０の内側に、各点数棒箱１３０とつながった開口部１３５を形成する。天板１００の枠１１０はマット１２０に対して高さを形成する厚みを有し、天板１００の四辺それぞれの、天板１００の枠１１０の厚み部分に開口部１３５が形成される。この開口部１３５は、天板１００から収容箱（点数棒箱１３０）まで貫通する。開口部１３５は、天板１００の各辺に沿ってそれぞれ形成され、開口部１３５の天板１００の枠１１０の厚み方向の幅は、麻雀の点数棒の太さよりも高く、麻雀牌の最短辺よりも低い。
【００１７】
なお、点数棒箱１３０を枠１１０ではなく、マット１２０から直結した構造としても良い。この場合、開口部１３５を枠１１０の内側ではなく、マット１２０の四辺側部にそれぞれ設け、天板１００から収容箱（点数棒箱１３０）まで貫通する。この場合も同様に開口部１３５は、天板１００の各辺に沿ってそれぞれ形成する。このように枠１１０から穴を開けても良いし、マット１２０の面に穴を開けても良い。
【００１８】
つまり、点数棒箱１３０を、そして開口部１３５を、枠１１０かマット１２０のどちらかに連結させる構成とすることができる。いずれにしても、点数棒箱１３０を、そして開口部１３５を、天板１００に連結しているということができる。すなわち、点数棒箱１３０が天板１００に連結され、開口部１３５が天板１００の四辺それぞれの、天板１００の厚み部分に形成されて天板１００から点数棒箱１３０まで貫通する、ということになる。
【００１９】
麻雀卓は卓の機能により全自動麻雀卓（洗牌と山積みを電動で行う）、半自動麻雀卓（裏返し等を自動で行う）、手打卓に分かれる。 手打卓は新たに出現した自動麻雀卓と区別するために用いられるようになった呼称である。三人麻雀専用で用いる正三角形の卓もある。麻雀卓として、全自動麻雀卓に本実施の形態を採用した場合について説明する。
【００２０】
図３は、本実施の形態に係るゲーム用テーブルの全自動動作を示す側面からの断面図である。全自動麻雀卓は、麻雀牌を自動で整列させる牌整列装置を収蔵した平箱状の機枠の上面に、麻雀卓としての天板１００を装架したものである。天板１００には、一局のゲームを終えた麻雀牌を機枠内の牌整列装置に対して落し込む牌落し口２００を開設する。
【００２１】
一局のゲームを終えた麻雀牌を落し込む牌落し口２００の蓋板２１０の開閉手段として、蓋板２１０の底面の中央部位に、駆動モーターおよび伝導機構等を収蔵させる四角なボックスを垂設する。マット１２０の中央部位に、牌落し口２００を開閉する蓋板２１０を設け、マット１２０の下面側から上端部を連結した支柱により支持する。その支柱の下端側を、マット１２０の下面に装設したボックス内に昇降自在に突入させる。その突入端部を、ボックス内に収蔵しておくモーターおよびそれの出力軸と伝導機構を介し伝導して作動するカム機構またはラックとピニオンとからなるギヤ機構と連繋し、そのカム機構またはギヤ機構の作動で、蓋板２１０を上昇させて牌落し口２００を開放する。
【００２２】
牌落し口２００からは、一局のゲームを終えた麻雀牌を入れる。中央部位に開設され、開閉自在の蓋板２１０により閉塞しておく。牌落し口２００から落し込まれる麻雀牌を受け入れて洗牌した後、所定の整列状態に整列させる。整列させた麻雀牌を、マット１２０の上面にせり上げる四つのリフト２１５が装架される。この四つのリフト２１５を上面側に露出させる四つの開口（窓穴）２２０が設けられる。
【００２３】
マット１２０は、上面視略正方形状であり、４つの開口２２０が設けられている。４つの開口（牌出口）２２０は、マット１２０の四辺のそれぞれに沿って矩形状に形成されている。４つの牌出口２２０は、同形状の板部材で形成されるリフト２１５により塞がれ、複数の牌を天板１００内部から卓上に供給する際にリフト２１５が待避して開く。牌落し口２００は、マット１２０の中央に正方形状に形成されている。牌落し口２００は、同形状のリフト２１５により塞がれ、複数の牌を撹拌装置２３０に送る際にリフト２１５が上昇して開く。
【００２４】
撹拌装置２３０は、本体内で複数の牌を撹拌する装置である。撹拌装置２３０は、頂部、回転板（ターンテーブル）、４つのブレード、外壁、及び４つの磁石を有する。頂部は、例えば円錐形状に形成され、頂点を上方に向けてターンテーブルの中央、すなわち牌落し口２００の直下に配置されている。例えば牌落し口２００から牌が本体内に送られると、牌は頂部上に落下して回転板（ターンテーブルとも呼ぶ）上に散らされる。
【００２５】
ターンテーブルは、撹拌装置２３０の中央に配置された、頂部から周縁に傾斜して裾を広げるテーブル部材である。ターンテーブル上に複数の牌が送られ、これが回転することにより複数の牌が撹拌される。４つのブレードは、円弧状に湾曲する凸状部材であり、ターンテーブルの表面上に一端を頂部に接続し、他端を周縁に向けて等角度間隔で配設され、略渦巻き状をなしており、複数の牌がより効率的に撹拌され、また周縁に寄せられる。
【００２６】
リフト２１５は、マット１２０の上面側の開口２２０を閉鎖する蓋板状に支架され、四周の各辺縁から幾分中央部位に寄せた位置に、撹拌装置２３０で築牌状態に整列された麻雀牌をマット１２０の上面にせり上げる。撹拌装置２３０は、落下口である牌落し口２００から落されてくる麻雀牌を受ける洗牌ホッパーと、その洗牌ホッパー内に受入れた麻雀牌を洗牌して姿勢を一定に整えながら送出する送出装置と、該送出装置で送出される麻雀牌を各リフト２１５の隣接位置に搬送していく搬送装置と、その搬送装置で搬送した麻雀牌をリフト２１５の上面に移し換えるよう押出す押出装置とからなる。
【００２７】
次に、図４〜図６を参照して開口部１３５について説明する。以上、ゲーム用テーブルの一例としての麻雀卓について説明したので、開口部１３５の配置について説明する。本実施の形態では、枠１１０の内周が点数棒箱１３０に直結する構造を中心にして説明する。
【００２８】
図４は、本実施の形態に係るゲーム用テーブルの第１の斜視図である。枠１１０、マット１２０、点数棒箱１３０の位置関係は、図４〜図６で共通であるが、図４では開口部１３５が点数棒箱１３０内で複数に区切られた点数棒収納領域のうちの一番右側だけ開いた構造となっている。ここでは一番右側だけが開いた場合を例にして示しているが、一番左でも一番真ん中でもよい。
【００２９】
点数棒箱１３０内で複数に区切られた点数棒収納領域のうちの１つに対して開いた構造とすることにより、受け取った点数棒を、他の点数棒と区別して収納することができる。または、性質の異なる点数棒と区分けした状態での収納が可能となる。なお、開口部１３５の開口部分の大きさは、点数棒、駒、チップなどが通過可能であり、麻雀牌等は通過できない程度の大きさを想定するが、麻雀牌等を含め、いずれも通過できるよう十分に大きくしても良い。
【００３０】
図５は、本実施の形態に係るゲーム用テーブルの第２の斜視図である。枠１１０、マット１２０、点数棒箱１３０の位置関係は、図４〜図６で共通であるが、図５では開口部１３５が点数棒箱１３０内で複数に区切られた点数棒収納領域全て開いた構造となっている。全て開いた構造とすることにより、受け取った点数棒の収納は、一部だけ開いた場合よりもより容易になる。なお、開口部１３５の開口部分の大きさは、点数棒、駒、チップなどが通過可能であり、麻雀牌等は通過できない程度の大きさを想定するが、麻雀牌等を含め、いずれも通過できるよう十分に大きくしても良い。
【００３１】
図６は、本実施の形態に係るゲーム用テーブルの第３の斜視図である。枠１１０、マット１２０、点数棒箱１３０の位置関係は、図４〜図６で共通であるが、図６では開口部１３５が点数棒箱１３０内で複数に区切られた点数棒収納領域のうちの一番右側だけ開いた構造となっている。ただし、開口部１３５を、一番右で完全に開いた構造としているのではなく、点数棒がちょうど収納できるような大きさだけ開口している点である。もちろん同様に、一番右側だけが開いた場合を例にして示しているが、一番左でも一番真ん中でもよい。
【００３２】
開口部１３５を小さくすることにより、点数棒のみを入れやすくすることができる。麻雀牌は点数棒よりもかたまりとしては大きいので、麻雀牌が通れない構造とすることで、うっかり麻雀牌が通ってしまうことを防ぐことができる。麻雀牌以外でも、例えばカードなども通れないので、点数棒のみを選択的に通すことができる。選択的に通す対象としては、点数棒に限らずその他ゲームに必要な棒、チップや駒等を選択的に通す大きさとすることもできる。
【００３３】
なお、開口部１３５にはマット１２０側又は点数棒箱１３０内にスライド式に開閉可能な窓を設け、窓の大きさを調整可能としても良い。調整可能とすることにより、開口部１３５が大きすぎて余計な駒やカードが通ってしまうのを防ぎ、逆に小さすぎて必要な点数棒等が通過できないのを防ぐ程度のちょうどよい大きさに調節することができる。開口部１３５に設ける窓については、図４〜図６のいずれの形態に対して設けても良い。
【００３４】
図７は、本実施の形態に係る連結部を示す。特に点数棒箱１３０が引き出しとなった構造の場合、枠１１０の内周が点数棒箱１３０からは離れた位置になることも多い。この場合、点数棒箱１３０と天板１００を連結する連結部１９０を備えてもよい。連結部１９０に図示しない金具などの部材を設けておくことにより、着脱を容易にすることができる。連結部１９０は、枠１１０に限らず、マット１２０に連結した構成としても良い。いずれにしても天板１００に連結する。
【００３５】
また連結部１９０を設けることにより、遊ぶゲームの態様によって様々な形態の点数棒箱１３０を装着することができる。本実施の形態では麻雀をする場合を例にしているが、点数棒に限らず、点数を示す駒やカードなどを入れる場合もあるので、ゲームの態様に合った箱を装着可能とすることにより、様々なゲームでも遊ぶことができる。
【００３６】
図７の例では、左側が図２の枠１１０の左側に相当する部分の拡大断面図を示す。右側が連結部１９０をマット１２０側から見たときの図になる。図５は開口部１３５の構成を図５に合わせて示したが、図４及び図６の例の場合は、これに合わせて開口部１３５は更に小さくなる。
【００３７】
連結部１９０の配置として、図示しないが、図４〜図６の枠１１０の各内周部のうち、マット１２０と点数棒箱１３０に挟まれた部分を連結部１９０として配置する。連結部１９０の厚さは、枠１１０の厚さ全体にわたって形成しても良いし、開口部１３５を取り囲む程度の厚さとしても良い。
【００３８】
連結部１９０により、枠１１０のマット１２０側の位置に、点数棒箱１３０を連結する。従って、連結部１９０より、点数棒箱１３０を取り外し可能な構造としても良い。これにより、点数棒箱１３０のメンテナンス管理が容易になる。そして、開口部１３５は、この連結部１９０の穴として形成されることにより、天板１００から点数棒箱１３０まで貫通する。
【００３９】
枠１１０の内周が点数棒箱１３０からは離れた位置になる場合の他の例として、連結部１９０を天板１００側の第１連結部及び機枠側の第２連結部に分けても良い。この場合、天板１００が載置されるテーブルの本体部分と、天板１００の枠と前記本体部分を連結する第１連結部と、本体部分と点数棒箱１３０を連結する第２連結部とをさらに備えることになる。この場合、開口部１３５は、第１連結部及び第２連結部を貫通する穴として形成することにより、天板１００から点数棒箱１３０まで貫通する。すなわち、全自動麻雀卓においても、点数棒箱１３０を着脱しやすい構造とすることができる。
【００４０】
以上、本発明について実施例を用いて説明したが、本発明の技術的範囲は上記実施例に記載の範囲には限定されない。上記実施例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００４１】
天板１００、枠１１０、マット１２０、点数棒箱１３０、開口部１３５
牌落し口２００、蓋板２１０、リフト２１５、開口（窓穴）２２０
撹拌装置２３０、脚部３００
【図１】
2020025629.tif 000003
【図２】
2020025629.tif 000004
【図３】
2020025629.tif 000005
【図４】
2020025629.tif 000006
【図５】
2020025629.tif 000007
【図６】
2020025629.tif 000008
【図７】
2020025629.tif 000009